(57)【要約】【課題】レバーの係止回動時の操作の向きと係止解除時の操作の向きを同じ向きにすることができ、レバーの操作性を向上させることができるレバー式コネクタを提供する。【解決手段】相手側ハウジング１１に嵌合・離脱されるハウジング２０と、ハウジング２０に回動自在に支持され、操作部３１を回動操作することで両ハウジング１１，２０を嵌合させるレバー３０と、を備えたレバー式コネクタ１０であって、レバー３０の操作部３１には、回動完了時にレバー３０を回動規制状態に保持するレバーロック部３３を設け、レバーロック部３３は、操作部３１の下側に設けられ、ハウジング２０に設けられたロックアーム部２４の受け部２４ｂに係止される係止部３４と、操作部３１の内端側に設けられ、ロックアーム部２４の自由端２４ａ側への押圧操作によって係止部３４とロックアーム部２４の受け部２４ｂの係止状態を解除するロック解除操作部３５と、を有する。【選択図】図６
2020170654.tif 000002
【特許請求の範囲】
【請求項１】
カムボスを有した相手側ハウジングと、
前記相手側ハウジングに嵌合・離脱されるハウジングと、
前記ハウジングに支軸を介して回動自在に支持され、前記カムボスと係合するカム溝を有し、操作部を回動操作することで前記カム溝と前記カムボスとの係合によって前記相手側ハウジングを前記ハウジング側へ引き寄せて嵌合させるレバーと、
を備えたレバー式コネクタであって、
前記レバーの操作部には、回動完了時に該レバーを回動規制状態に保持するレバーロック部が設けられ、
前記レバーロック部は、前記操作部の前記ハウジング側に設けられ、前記ハウジングに設けられたロックアーム部の受け部に係止される係止部と、前記操作部の内端側に設けられ、前記ロックアーム部の自由端側への押圧操作によって前記係止部と前記ロックアーム部の受け部の係止状態を解除するロック解除操作部と、を有することを特徴とするレバー式コネクタ。
【請求項２】
請求項１記載のレバー式コネクタであって、
前記ロック解除操作部は、前記操作部の前端側にスリットを介して設けられたＬ字形の弾性片部と、前記Ｌ字形の弾性片部の先端に片持ち支持された操作片部と、を有することを特徴とするレバー式コネクタ。
【請求項３】
請求項１記載のレバー式コネクタであって、
前記ロック解除操作部は、前記操作部の前端側にスリットを介して設けられたストレート状の弾性片部と、前記ストレート状の弾性片部の中間に両持ち支持された操作片部と、を有することを特徴とするレバー式コネクタ。
【発明の詳細な説明】
【技術分野】
【０００１】
本発明は、レバーの回動による低挿入力でコネクタ嵌合を行うことができるレバー式コネクタに関する。
【背景技術】
【０００２】
この種のレバー式コネクタとして、特許文献１に開示されたものがある。このレバー式コネクタ１は、図１１及び図１２に示すように、フード部２ａとカムフォロア３を有した雄ハウジング２と、この雄ハウジング２のフード部２ａ内に嵌合・離脱される雌ハウジング４と、この雌ハウジング４のレバー収容部４ａ内において回動軸５を介して回動自在に設けられ、雄ハウジング２のカムフォロア３と係合するカム溝６ａを有し、回動操作することでカム溝６ａとカムフォロア３との係合によって雄雌両ハウジング２，４を嵌合させるレバー６と、を備えている。図１２に示すように、レバー６には、ロックアーム７が設けられている。このロックアーム７の先端部には、操作部７ａが設けられ、保護部９によって覆われている。
【０００３】
そして、図１２に示すように、雄雌両ハウジング２，４を離脱させる場合には、ロックアーム７の操作部７ａに形成された第１摘み面７ｂと保護部９の第２摘み面９ａを摘まむことで、ロックアーム７のロック突部８と雌ハウジング４に形成されたロック突縁４ｂとの係止が解除される。操作部７ａの第１摘み面７ｂと保護部９の第２摘み面９ａとはロックアーム７の撓み方向に沿って配置されているため、摘み操作を行い易い。
【先行技術文献】
【特許文献】
【０００４】
【特許文献１】特開２０１５−８８２７４号公報
【発明の概要】
【発明が解決しようとする課題】
【０００５】
しかしながら、前記従来のレバー式コネクタ１では、レバー６の操作時にロックアーム７を手で触れることにより、ロックアーム７のロック突部８と雌ハウジング４のロック突縁４ｂとが係止される際に係止音（嵌合音）が鳴らず、係止されているか否かの確認が必要となり、レバー６の操作性が悪かった。また、ロックアーム７に手を引っ掛けてしまって係止されていないままの状態になる等の不具合が懸念される。
【０００６】
そこで、本発明は、前記した課題を解決すべくなされたものであり、レバーの係止回動時の操作の向きと係止解除時の操作の向きを同じ向きにすることができ、レバーの操作性を向上させることができるレバー式コネクタを提供することを目的とする。
【課題を解決するための手段】
【０００７】
本発明は、カムボスを有した相手側ハウジングと、前記相手側ハウジングに嵌合・離脱されるハウジングと、前記ハウジングに支軸を介して回動自在に支持され、前記カムボスと係合するカム溝を有し、操作部を回動操作することで前記カム溝と前記カムボスとの係合によって前記相手側ハウジングを前記ハウジング側へ引き寄せて嵌合させるレバーと、を備えたレバー式コネクタであって、前記レバーの操作部には、回動完了時に該レバーを回動規制状態に保持するレバーロック部が設けられ、前記レバーロック部は、前記操作部の前記ハウジング側に設けられ、前記ハウジングに設けられたロックアーム部の受け部に係止される係止部と、前記操作部の内端側に設けられ、前記ロックアーム部の自由端側への押圧操作によって前記係止部と前記ロックアーム部の受け部の係止状態を解除するロック解除操作部と、を有することを特徴とする。
【発明の効果】
【０００８】
本発明によれば、レバーの係止回動時の操作の向きと係止解除時の操作の向きを同じ向きにすることができ、レバーの操作性を向上させることができる。
【図面の簡単な説明】
【０００９】
【図１】本発明の第１実施形態のレバー式コネクタを示す分解斜視図である。
【図２】上記レバー式コネクタのレバーの斜視図である。
【図３】図２中Ｘ−Ｘ線に沿う断面図である。
【図４】（ａ）は上記レバーの係止完了時の斜視図、（ｂ）は（ａ）中Ｙ部分の拡大斜視図である。
【図５】上記レバーの係止完了時の側面図である。
【図６】上記レバーの係止完了時の断面図である。
【図７】（ａ）は上記レバーの係止解除時の斜視図、（ｂ）は同レバーの係止解除時の側面図、（ｃ）は同レバーの係止解除時の断面図である。
【図８】（ａ）はレバーの係止解除完了時の斜視図、（ｂ）は同レバーの係止解除完了時の側面図、（ｃ）は同レバーの係止解除完了時の断面図である。
【図９】本発明の第２実施形態のレバー式コネクタのレバーの係止完了時の斜視図である。
【図１０】上記第２実施形態のレバーの係止完了時の断面図である。
【図１１】従来のレバー式コネクタの嵌合前の平面図である。
【図１２】上記従来のレバー式コネクタのロックアームの係止が解除されているときの状態を示す断面図である。
【発明を実施するための形態】
【００１０】
以下、本発明の実施形態を図面に基づいて説明する。
【００１１】
図１は本発明の第１実施形態のレバー式コネクタを示す分解斜視図、図２はレバー式コネクタのレバーの斜視図、図３は図２中Ｘ−Ｘ線に沿う断面図、図４（ａ）はレバーの係止完了時の斜視図、図４（ｂ）は図４（ａ）中Ｙ部分の拡大斜視図、図５はレバーの係止完了時の側面図、図６はレバーの係止完了時の断面図、図７（ａ）はレバーの係止解除時の斜視図、図７（ｂ）はレバーの係止解除時の側面図、図７（ｃ）はレバーの係止解除時の断面図、図８（ａ）はレバーの係止解除完了時の斜視図、図８（ｂ）はレバーの係止解除完了時の側面図、図８（ｃ）はレバーの係止解除完了時の断面図である。
【００１２】
図１に示すように、レバー式コネクタ１０は、合成樹脂製の雄ハウジング（相手側ハウジング）１１と、この雄ハウジング１１に嵌合・離脱される合成樹脂製の雌ハウジング（ハウジング）２０と、この雌ハウジング２０に設けられた支軸２３を介して回動自在に支持され、雄ハウジング１１のカムボス１２と係合するカム溝３８を有し、操作部３１を回動操作することでカム溝３８とカムボス１２との係合によって雄ハウジング１１を雌ハウジング２０側へ引き寄せて雄雌両ハウジング１１，２０を嵌合させる合成樹脂製のレバー３０と、を備えている。
【００１３】
図１、図６に示すように、雄ハウジング１１は、前側に雌ハウジング２０のフード部２２内に挿入されるフード部１１ａを有している。また、雄ハウジング１１の両側面１１ｂ，１１ｂの中央には、円柱状のカムボス１２がそれぞれ一体突出形成されている。さらに、雄ハウジング１１の両側面１１ｂ，１１ｂのカムボス１２の下側には、前後方向に延びる解除リブ部１３が一体突出形成されている。この解除リブ部１３の先端１３ａが、後述する雌ハウジング２０の切欠き部（被仮係止部）２５とレバー３０の仮ロックアーム部３９の仮係止突起（仮係止部）３９ａとの仮係止状態を解除する解除部になっている。また、解除リブ部１３の下面１３ｂの中央には、台形状の仮セットビーク部１４が一体突出形成されている。尚、図６に示すように、雄ハウジング１１のフード部１１ａ内には、雄端子（端子）１６のタブ部１６ａが露出している。
【００１４】
図１、図６に示すように、雌ハウジング２０は、複数の端子収容室２１ａを有したブロック状のハウジング本体２１と、このハウジング本体２１の前側に一体突出形成され、内部に雄ハウジング１１のフード部１１ａが嵌め込まれるフード部２２と、を有している。このハウジング本体２１の両側面２１ｂ，２１ｂの中央には、支軸２３がそれぞれ一体突出形成されている。また、ハウジング本体２１の上面２１ｃの中央の前側には、弾性変形するロックアーム部２４を一体突出形成してある。このロックアーム部２４の自由端（先端）２４ａには、受け部２４ｂが一体突出形成されている。
【００１５】
図１に示すように、雌ハウジング２０のフード部２２の両側部の中央には、略矩形の切欠き部（被仮係止部）２５がそれぞれ形成されている。即ち、各切欠き部２５の下縁２５ａには、後述するレバー３０の仮ロックアーム部３９の仮係止部３９ａが仮係止・離脱され、この下縁２５ａに仮ロックアーム部３９の仮係止部３９ａが仮係止された際には、図８（ａ）〜（ｃ）に示すように、レバー３０が仮係止位置に位置するようになっている。
【００１６】
また、図１、図８（ｂ）に示すように、各切欠き部２５の下縁２５ａの前側には、仮セットアーム部２６が弾性変形自在に一体形成されている。この仮セットアーム部２６の先端（自由端）には、解除リブ部１３の下面１３ｂに沿って摺動する突起部２６ａを有している。この突起部２６ａが解除リブ部１３の下面１３ｂに沿って摺動して該下面１３ｂから仮セットビーク部１４を乗り越えるまで、仮セットアーム部２６がレバー３０の仮係止解除中において仮セット状態にある雄ハウジング１１と雌ハウジング２０との離脱を阻止するようになっている。
【００１７】
また、図１、図６に示すように、雌ハウジング２０のフード部２２とハウジング本体２１の複数の端子収容室２１ａの周囲の間には、ゴム製で四角環状のパッキン２８が介在されている。さらに、雌ハウジング２０のフード部２２内のハウジング本体２１の複数の端子収容室２１ａの周囲には、前壁部２９ａを有した四角筒状で合成樹脂製のフロントホルダ２９が嵌め込まれている。フロントホルダ２９の前壁部２９ａには、ハウジング本体２１の複数の端子収容室２１ａに連通する矩形の開口部２９ｂが複数設けられている。尚、図６に示すように、ハウジング本体２１の端子収容室２１ａに収容された雌端子２１ｄは、ランス２１ｅにより係止されるようになっている。
【００１８】
図１、図２に示すように、レバー３０は、操作部３１と、この操作部３１の両側から延びる一対のアーム部３２，３２と、を備えている。
【００１９】
図２、図３、図６に示すように、レバー３０の操作部３１の中央には、レバー３０の回動完了時（雄雌両ハウジング１１，２０の嵌合時）にレバー３０を回動規制状態に保持するレバーロック部３３が設けられている。このレバーロック部３３は、操作部３１の下側（ハウジング本体２１側）に設けられ、雌ハウジング２０のロックアーム部２４の受け部２４ｂに係止される係止突起（係止部）３４と、操作部３１の内端側（フード部２２のフランジ部２２ａ側）に設けられ、ロックアーム部２４の自由端２４ａ側への押圧操作によって係止突起３４とロックアーム部２４の受け部２４ｂの係止状態を解除するロック解除操作部３５と、を有する。
【００２０】
図２、図３、図６に示すように、ロック解除操作部３５は、操作部３１の前端側にスリット３１ｂを介して該スリット３１ｂの両端に一体突出形成されたＬ字形で一対の弾性片部３６，３６と、このＬ字形の各弾性片部３６の先端３６ａに片持ち支持された操作片部３７と、を有する。
【００２１】
図１、図２に示すように、レバー３０の各アーム部３２の中央の後側には、支軸２３に回動自在に支持される軸受孔３２ａが形成されている。また、各アーム部３２の内側には、円弧凹状のカム溝３８が形成されている。さらに、各アーム部３２の下側には、先端に仮係止突起（仮係止部）３９ａを有し、弾性変形する仮ロックアーム部３９が一体形成されている。
【００２２】
尚、図１に示すように、雄ハウジング１１の両側面１１ｂ，１１ｂのカムボス１２の後側には、解除リブ部１３と平行に凸部１５がそれぞれ一体突出形成されている。そして、図４、図５に示すように、雌ハウジング２０のフード部２２内に雄ハウジング１１が挿入される際に、雄ハウジング１１の凸部１５が雌ハウジング２０のフード部２２のフランジ部２２ａの両側に形成された凹部２２ｂ内に収容されてガイドされるようになっている。また、図６に示すように、レバー３０の操作部３１の上面の操作面３１ａは凹凸状に形成されて、作業者の手の指が滑り難くなっている。さらに、レバー３０が図８（ｂ）に示す仮係止位置から図５に示す回動完了位置まで回動操作されて、レバーロック部３３の係止突起３４が雌ハウジング２０のロックアーム部２４の受け部２４ｂに係止されて回動規制状態に保持される際に、レバー３０のアーム部３２に設けられた仮ロックアーム部３９の仮係止突起３９ａは、雌ハウジング２０のフード部２２の両側部の切欠き部２５の下縁２５ａから該切欠き部２５の下側に形成された穴部２７に移動して収容されるようになっている。
【００２３】
以上第１実施形態のレバー式コネクタ１０によれば、雌ハウジング２０のフード部２２の両側部の切欠き部２５の下縁２５ａに、レバー３０の仮ロックアーム部３０の仮係止突起３９ａを仮係止させた状態のレバー３０の仮係止位置（図８に示すレバー３０の位置）から、レバー３０の操作部３１を作業者が手の指で押して回動操作すると、レバー３０のアーム部３２のカム溝３８と雄ハウジング１１のカムボス１２との係合によって雄ハウジング１１が雌ハウジング２０側へ引き寄せられて雄雌両ハウジング１１，２０が嵌合する。このレバー３０の回動完了時に、図４（ａ），（ｂ）、図５、図６に示すように、レバー３０の操作部３１の下側にあるレバーロック部３３の係止突起３４が雌ハウジング２０のロックアーム部２４の受け部２４ｂに係止（ロック）され、レバー３０の回動は規制される回動規制状態になる。
【００２４】
また、レバー３０の操作部３１の係止突起３４が雌ハウジング２０のロックアーム部２４の受け部２４ｂに係止される際に、係止突起３４がロックアーム部２４の自由端２４ａ側を下方に押すことで、ロックアーム部２４が下方に撓み、その反力でロックアーム部２４が元の位置に戻る際に、自由端２４ａ及び受け部２４ｂが係止突起３４及び操作部３１の下面側に当たることで係止音（嵌合音）が発生する。
【００２５】
そして、レバー式コネクタ１０の雄ハウジング１１と雌ハウジング２０との嵌合を解除する際には、図５と図６に示すレバー３０の係止完了状態から、図６に示す符号Ｆのように、ロック解除操作部３５の操作片部３７を操作者が手の指で押し下げる。この押圧操作により、操作片部３７で雌ハウジング２０のロックアーム部２４の自由端２４ａが下方へ弾性変形し、レバー３０のレバーロック部３３の係止突起３４からロックアーム部２４の受け部２４ｂが外れるため、図７（ａ）〜（ｃ）と図８（ａ）〜（ｃ）に示すように、レバー３０の係止状態が解除される。
【００２６】
この第１実施形態では、レバー３０の係止回動時の操作の手の向きと係止解除時の操作の手の向きを合わすことで、即ち、同じ向きにすることができるため、レバー３０の操作性を向上させることができる。また、レバー３０のロック解除操作部３５の下方に雌ハウジング２０のロックアーム部２４が設けられていて、レバー３０の操作部３１を操作する際に、雌ハウジング２０のロックアーム部２４に手が触れることがないため、レバーロック部３３の係止突起３４とロックアーム部２４の自由端２４ａ及び受け部２４ｂとの係止音が鳴り、その係止完了状態を作業者が簡単に知ることができる。これにより、レバーロック部３３の係止突起３４とロックアーム部２４の受け部２４ｂとの未係止状態を簡単かつ確実に防ぐことができる。
【００２７】
図９は本発明の第２実施形態のレバー式コネクタのレバーの係止完了時の斜視図、図１０は第２実施形態のレバーの係止完了時の断面図である。
【００２８】
この第２実施形態では、レバー式コネクタ１０′のレバー３０において、操作部３１の中央に設けられたロック解除操作部３５′が、操作部３１の前端側にスリット３１ｂを介して該スリット３１ｂと平行に設けられたストレート状の弾性片部３６′と、このストレート状の弾性片部３６′の中間に両持ち支持された操作片部３７と、を有している点が、前記第１実施形態と異なる。尚、他の構成は、前記第１実施形態と同様であるため、同一構成部分には同一符号を付して詳細な説明は省略する。
【００２９】
この第２実施形態の両持ち支持のロック解除操作部３５′の場合も、前記第１実施形態の片持ち支持のロック解除操作部３５と同様の作用・効果を奏する。
【００３０】
尚、前記各実施形態によれば、雌ハウジングの被仮係止部としての切欠き部とレバーの仮ロックアーム部の仮係止部としての仮係止突起を仮係止させるようにしたが、被仮係止部は、切欠き部の他に、凹部や凸部等でも良い。
【符号の説明】
【００３１】
１０，１０′  レバー式コネクタ
１１  雄ハウジング（相手側ハウジング）
１２  カムボス
２０  雌ハウジング（ハウジング）
２３  支軸
２４  ロックアーム部
２４ａ  自由端
２４ｂ  受け部
３０  レバー
３１  操作部
３１ｂ  スリット
３３  レバーロック部
３４  係止突起（係止部）
３５，３５′  ロック解除操作部
３６  Ｌ字形の弾性片部
３６ａ  先端
３６′  ストレート状の弾性片部
３７  操作片部
３８  カム溝
【図１】
2020170654.tif 000003
【図２】
2020170654.tif 000004
【図３】
2020170654.tif 000005
【図４】
2020170654.tif 000006
【図５】
2020170654.tif 000007
【図６】
2020170654.tif 000008
【図７】
2020170654.tif 000009
【図８】
2020170654.tif 000010
【図９】
2020170654.tif 000011
【図１０】
2020170654.tif 000012
【図１１】
2020170654.tif 000013
【図１２】
2020170654.tif 000014